(57)【要約】      （修正有）【課題】フックタイプの保持具に代替可能な新規な保持具を提供する。【解決手段】保持具は、基部１０、及び基部１０に対して基端側が直接的又は間接的に位置固定された状態で基部１０に対して自由端側が着脱可能である帯体５０を備える。帯体５０は、基部１０に対して自由端側が固定されたロック状態において基部１０上に伏した初期姿勢をとり、基部１０に対して自由端側が固定されていない非ロック状態において外力に応じて初期姿勢から脱することが可能である。【選択図】図６
0003181938.tif 000002
【実用新案登録請求の範囲】
【請求項１】
基部（１０）、及び前記基部（１０）に対して基端側が直接的又は間接的に位置固定された状態で前記基部（１０）に対して自由端側が着脱可能である帯体（５０）を備え、
前記帯体（５０）は、前記基部（１０）に対して前記自由端側が固定されたロック状態において前記基部（１０）上に伏した初期姿勢をとり、前記基部（１０）に対して前記自由端側が固定されていない非ロック状態において外力に応じて前記初期姿勢から脱することが可能である、保持具。
【請求項２】
前記帯体（５０）が、少なくとも当該帯体（５０）の長手方向に伸縮自在である、請求項１に記載の保持具。
【請求項３】
前記帯体（５０）を収容する帯体収容部（１５）が前記基部（１０）に対して一体的又は別体として設けられ、
前記帯体（５０）が前記帯体収容部（１５）から前記基部（１０）上へ繰り出し可能である、請求項１又は２に記載の保持具。
【請求項４】
前記基部（１０）と前記帯体（５０）間の着脱性が雄及び雌部材（３０、７０）の組み合わせにより確保され、
前記雄及び雌部材（３０、７０）の一方が前記基部（１０）に設けられ、他方が前記帯体（５０）に設けられる、請求項１乃至３のいずれか一項に記載の保持具。
【請求項５】
前記雄部材が雄型スナップボタン（７０）であり、前記雌部材が雌型スナップボタン（３０）である、請求項４に記載の保持具。
【請求項６】
前記基部（１０）には、前記雄型及び雌型スナップボタン（３０、７０）の少なくとも一方を収容可能な収容部（１２）が設けられる、請求項５に記載の保持具。
【請求項７】
前記基部（１０）の主面には前記帯体（５０）を少なくとも部分的に収容可能である収容溝（１１）が設けられる、請求項１乃至６のいずれか一項に記載の保持具。
【請求項８】
前記収容溝（１１）に前記帯体（５０）が収容された状態において露出する前記帯体（５０）の主面が、前記基部（１０）の前記主面よりも前記収容溝（１１）の底側に位置する、請求項７に記載の保持具。
【請求項９】
前記基部（１０）には前記帯体（５０）が挿通可能な挿通穴（ＯＰ１０）が設けられる、請求項１乃至８のいずれか一項に記載の保持具。
【請求項１０】
前記帯体（５０）が、前記挿通穴（ＯＰ１０）からの当該帯体（５０）の抜けを防止するべく前記基部（１０）に対して係止可能な１以上の係止部を備える、請求項９に記載の保持具。
【請求項１１】
前記基部（１０）と前記帯体（５０）間の着脱性が雄及び雌型スナップボタンの組み合わせにより確保される、請求項１０に記載の保持具（１００）であって、
前記１以上の係止部が、前記雄及び雌型スナップボタンの組み合わせの少なくとも一方である、保持具。
【請求項１２】
前記基部（１０）が、前記挿通穴（ＯＰ１０）を規定する側面から前記挿通穴（ＯＰ１０）内に延在した部分を含む抜止部（１３）を備える、請求項１０又は１１に記載の保持具。
【請求項１３】
前記帯体（５０）を収容する帯体収容部（１５）が前記基部（１０）に対して一体的又は別体として設けられ、
前記帯体（５０）が前記帯体収容部（１５）から前記基部（１０）上へ繰り出し可能である、請求項１乃至１２のいずれか一項に記載の保持具（１００）であって、
前記帯体（５０）の前記基端側に連結し、繰り出された前記帯体（５０）を引き戻すべく前記帯体（５０）を付勢する付勢手段を更に備える、保持具。
【請求項１４】
前記帯体（５０）を収容する帯体収容部（１５）が前記基部（１０）に対して一体的又は別体として設けられ、
前記帯体（５０）が前記帯体収容部（１５）から前記基部（１０）上へ繰り出し可能である、請求項１乃至１３のいずれか一項に記載の保持具（１００）であって、
前記帯体収容部（１５）は、前記基部（１０）の一方の主面側から他方の主面側へ繰り出されるべき前記帯体（５０）を収容する、保持具。
【請求項１５】
前記付勢手段が、スプリング部品である、請求項１３に記載の保持具。
【請求項１６】
前記基部（１０）には前記初期姿勢の前記帯体（５０）により少なくとも部分的に閉じられる凹状の保持空間（ＳＰ１０）が設けられる、請求項１乃至１５のいずれか一項に記載の保持具。
【請求項１７】
前記保持空間（ＳＰ１０）を規定する前記基部（１０）の面（１０ｊ１）には、前記初期姿勢の前記帯体（５０）の延在方向に延びる部分を含む突起（１０ｉ）が設けられる、請求項１６に記載の保持具。
【請求項１８】
請求項１乃至１７のいずれか一項に記載の保持具（１００）が設けられた座席。
【考案の詳細な説明】
【技術分野】
【０００１】
本考案は、保持具に関する。
【背景技術】
【０００２】
袋や鞄等の持ち手等を引っ掛け可能なフックが自動車等の移動体の座席背面に設けられることがあるが、その不使用時にはフックが邪魔になることがある。特許文献１には、使用時には本体の収容部からＪ字フックを引き出し、不使用時には本体の収容部内にＪ字フックを押し戻し可能な作動機構が開示されており、この場合には上述の問題が回避される。
【０００３】
特許文献２及び３には、エアバッグ用の保持具が開示されている。
【先行技術文献】
【特許文献】
【０００４】
【特許文献１】特開２０１０−１６８０２８号公報
【特許文献２】米国特許第６８８９９９９号明細書
【特許文献３】欧州特許第１９５７３２３号明細書
【考案の概要】
【考案が解決しようとする課題】
【０００５】
特許文献１に開示の装置が広く使用されているが、Ｊ字フックの下端にある上方開放の引掛部の溝内から溝外へ引っ掛けられた袋や鞄等の持ち手等が振動や外力に応じて容易に逃げ出し、袋や鞄等の持ち手等がＪ字フックから外れてしまう可能性がある。
【０００６】
このような例示の課題検討を踏まえ、本願考案者は、フックタイプの保持具に代替可能な新規な保持具を提供することに十分な価値があることを見出した。
【課題を解決するための手段】
【０００７】
本考案に係る保持具は、基部、及び前記基部に対して基端側が直接的又は間接的に位置固定された状態で前記基部に対して自由端側が着脱可能である帯体を備え、前記帯体は、前記基部に対して前記自由端側が固定されたロック状態において前記基部上に伏した初期姿勢をとり、前記基部に対して前記自由端側が固定されていない非ロック状態において外力に応じて前記初期姿勢から脱することが可能である。外力は、非限定的かつ例示的には、把持者による把持であり、場合によっては重力又は付勢力であるが、これらに限られるべきものではない。帯体が基部上に伏した初期姿勢にあるとき、帯体が基部の主面等に密接している必要はなく、両者の間に空間が設けられていても構わない。
【０００８】
前記帯体が、少なくとも当該帯体の長手方向に伸縮自在である、と良い。
【０００９】
前記帯体を収容する帯体収容部が前記基部に対して一体的又は別体として設けられ、前記帯体が前記帯体収容部から前記基部上へ繰り出し可能である、と良い。帯体収容部を基部に一体的に設ける必要は無く、帯体収容部を基部と別体に設けても良い。帯体収容部を基部に一体的に設ける場合においても、その具体的な組み込み態様は任意である。
【００１０】
前記基部と前記帯体間の着脱性が雄及び雌部材の組み合わせにより確保され、前記雄及び雌部材の一方が前記基部に設けられ、他方が前記帯体に設けられる、と良い。
【００１１】
前記雄部材が雄型スナップボタンであり、前記雌部材が雌型スナップボタンである、と良い。
【００１２】
前記基部には、前記雄型及び雌型スナップボタンの少なくとも一方を収容可能な収容部が設けられる、と良い。
【００１３】
前記基部の主面には前記帯体を少なくとも部分的に収容可能である収容溝が設けられる、と良い。
【００１４】
前記収容溝に前記帯体が収容された状態において露出する前記帯体の主面が、前記基部の前記主面よりも前記収容溝の底側に位置する、と良い。
【００１５】
前記基部には前記帯体が挿通可能な挿通穴が設けられる、と良い。
【００１６】
前記帯体が、前記挿通穴からの当該帯体の抜けを防止するべく前記基部に対して係止可能な１以上の係止部を備える、と良い。
【００１７】
前記基部と前記帯体間の着脱性が雄及び雌型スナップボタンの組み合わせにより確保される場合において、前記１以上の係止部が、前記雄及び雌型スナップボタンの組み合わせの少なくとも一方である、と良い。
【００１８】
前記基部が、前記挿通穴を規定する側面から前記挿通穴内に延在した部分を含む抜止部を備える、と良い。
【００１９】
前記帯体を収容する帯体収容部が前記基部に対して一体的又は別体として設けられ、前記帯体が前記帯体収容部から前記基部上へ繰り出し可能である場合において、前記帯体の前記基端側に連結し、繰り出された前記帯体を引き戻すべく前記帯体を付勢する付勢手段を更に備える、と良い。
【００２０】
前記帯体を収容する帯体収容部が前記基部に対して一体的又は別体として設けられ、前記帯体が前記帯体収容部から前記基部上へ繰り出し可能である場合において、前記帯体収容部は、前記基部の一方の主面側から他方の主面側へ繰り出されるべき前記帯体を収容する、と良い。
【００２１】
前記付勢手段が、スプリング部品である、と良い。
【００２２】
前記基部には前記初期姿勢の前記帯体により少なくとも部分的に閉じられる凹状の保持空間が設けられる、と良い。
【００２３】
前記保持空間を規定する前記基部の面には、前記初期姿勢の前記帯体の延在方向に延びる部分を含む突起が設けられる、と良い。
【００２４】
本考案に係る座席は、上記のいずれかの保持具が設けられたものである。
【考案の効果】
【００２５】
本考案によれば、フックタイプの保持具に代替し得る保持具を提供することができる。
【図面の簡単な説明】
【００２６】
【図１】本考案の第１実施形態に係る保持具を前面側から見た概略的な斜視図であり、図１（ａ）が保持具の分解状態を模式的に示し、図１（ｂ）が保持具の非分解状態を模式的に示す。
【図２】本考案の第１実施形態に係る保持具の概略的な前面図である。
【図３】本考案の第１実施形態に係る保持具の概略的な断面模式図であり、図３（ａ）が図２のＸ３ａ−Ｘ３ａに沿う保持具の幅方向の断面模式図を示し、図３（ｂ）が図２のＸ３ｂ−Ｘ３ｂに沿う保持具の長手方向の断面模式図を示す。
【図４】本考案の第１実施形態に係る保持具のベース部材の概略的な前面図及び長手断面模式図である。
【図５】本考案の第１実施形態に係る保持具のバンドの概略的な前面図及び長手側面模式図である。
【図６】本考案の第１実施形態に係る使用状態の保持具の概略的な斜視図及び長手断面模式図である。
【図７】本考案の第２実施形態に係る使用状態の保持具の概略的な斜視図である。
【図８】本考案の第２実施形態に係る保持具を背面側から見た概略的な斜視図であり、保持具の固定態様を模式的に示す。
【図９】本考案の第２実施形態に係る保持具を背面側から見た概略的な斜視図であり、保持具の他の固定態様を模式的に示す。
【図１０】本考案の第２実施形態に係る保持具が自動車等の座席の背面に設けられることを示す模式図である。
【図１１】本考案の第３実施形態に係る保持具を前面側から見た概略的な斜視図である。
【図１２】本考案の第３実施形態に係る保持具の概略的な長手断面模式図である。
【図１３】本考案の第４実施形態に係る保持具の概略的な長手断面模式図である。
【図１４】本考案の第５実施形態に係る保持具のベース部材の概略的な前面図である。
【図１５】本考案の第５実施形態に係る保持具を前面側から見た概略的な斜視図であり、帯体が初期姿勢にある。
【図１６】本考案の第５実施形態に係る保持具の概略的な側面図である。
【図１７】本考案の第５実施形態に係る保持具の概略的な前面図であり、帯体が初期姿勢にある。
【図１８】本考案の第５実施形態に係る保持具の概略的な断面模式図であり、図１７のＸ１８−Ｘ１８に沿う保持具の長手方向の断面模式図を示す。
【考案を実施するための形態】
【００２７】
以下、図面を参照しつつ、本考案の実施の形態について説明する。各実施形態は、個々に独立したものではなく、過剰説明をするまでもなく、当業者をすれば、適宜、組み合わせることが可能であり、この組み合わせによる相乗効果も把握可能である。実施形態間の重複説明は、原則的に省略する。参照図面は、考案説明を主目的とするものであり、適宜、簡略化されている。
【００２８】
＜第１実施形態＞
図１乃至図６を参照して第１実施形態について説明する。図１は、保持具を前面側から見た概略的な斜視図であり、図１（ａ）が保持具の分解状態を模式的に示し、図１（ｂ）が保持具の非分解状態を模式的に示す。図２は、保持具の概略的な前面図である。図３は、保持具の概略的な断面模式図であり、図３（ａ）が図２のＸ３ａ−Ｘ３ａに沿う保持具の幅方向の断面模式図を示し、図３（ｂ）が図２のＸ３ｂ−Ｘ３ｂに沿う保持具の長手方向の断面模式図を示す。図４は、保持具のベース部材の概略的な前面図及び長手断面模式図である。図５は、保持具のバンドの概略的な前面図及び長手側面模式図である。図６は、使用状態の保持具の概略的な斜視図及び長手断面模式図である。
【００２９】
図１乃至図３に示す保持具１００は、ベース部材１０に対してバンド５０が取り付けられたものである。ベース部材１０を基部と呼び、バンド５０を帯体とも呼ぶ。ベース部材１０は、上端１０ｐと下端１０ｑを有する長尺平板状部材である。なお、上端及び下端を一端及び他端、若しくは第１端及び第２端と呼んでも良い。ベース部材１０は、典型的にはプラスチック成形品であり、所望の強度を確保することができ、またその形状設計に関する高い自由度を確保することができる。換言すれば、ベース部材１０の具体的形状は、図示した例以外にも様々な形状をとり得る。言うまでもなく、ベース部材１０の構成材料は任意であり、それを金属製としても構わない。
【００３０】
ベース部材１０は、典型的にはその背面側から任意の対象物に任意の固定方法、例えば、ネジやボトル−ナット等による固定、嵌合による固定、接着剤による固定、磁着による固定等により固定されるべき部分であり、かかる観点からベース部材１０を固定ベース部材若しくは固定基部と呼んでも構わない。ベース部材１０の固定先は任意であり、電車や自動車等の移動体の座席の構成材等に限らず、固定建造物の壁、柵等であっても構わない。
【００３１】
バンド５０は、自由端５０ｐと基端５０ｑを有する長尺シート体である。なお、主として製品の美観の観点からバンド５０の長手方向とベース部材１０の長手方向を一致させているが、必ずしもこの限りではない。バンド５０は、その基端５０ｑ側においてベース部材１０に対して位置固定された状態で、その自由端５０ｐ側においてベース部材１０に対して着脱可能であり、その自由端５０ｐ側においてベース部材１０に固定した固定状態と非固定の非固定状態を選択的に取り得る。かかる態様にてベース部材１０にバンド５０を設けると、ベース部材１０に対してバンド５０の自由端５０ｐ側が固定されたロック状態においてバンド５０がベース部材１０上に伏した初期姿勢をとる。また、ベース部材１０に対してバンド５０の自由端５０ｐ側が固定されていない非ロック状態において、把持者による把持又は重力等の外力に応じてバンド５０がベース部材１０上に伏した初期姿勢から脱することが可能であり、非限定的かつ典型的には、把持者によりバンド５０の自由端５０ｐ側が把持され、ベース部材１０上からバンド５０を立ち起こし可能であり、ベース部材１０の下端１０ｑ側の部分を中心としてバンド５０を枢動可能である。バンド５０の自由端５０ｐ側でベース部材１０にバンド５０を固定することにより、ベース部材１０とバンド５０間で保持対象物を保持することができる。
【００３２】
バンド５０がベース部材１０上に伏した初期姿勢にあるとき、バンド５０がベース部材１０の前面１０ａに密接している必要はなく、両者の間に空間が設けられていても構わない。この点は、本願の第５実施形態の開示からも明らかである。バンド５０がベース部材１０上から立ち起こされた状態との比較において、バンド５０がベース部材１０上に伏した初期姿勢を把握すべきである。
【００３３】
バンド５０の自由端５０ｐ側をベース部材１０に固定するに際しては、通常は位置固定された状態のベース部材１０との関係においてバンド５０の自由端５０ｐ側を操作すれば良いだけであり、特段の説明無しで保持具１００の使用方法を直感的に理解可能である。
【００３４】
保持具１００は、２部品構成であり、薄型構成かつ簡素構成を促進可能であり、低コスト化も促進可能である。また、バンド５０とベース部材１０の各色選択に応じて意匠性のある外観を呈させることもできる。
【００３５】
バンド５０は、伸縮性及び可撓性の少なくとも一方を備えることが望ましい。バンド５０に伸縮性や可撓性を付与することにより、保持具１００により保持可能な保持対象物の範囲を適当に確保することができる。本例においては、バンド５０がシリコーン、エラストマー等のゴム製であり、バンド５０の長手方向の伸縮性をある程度確保できる。なお、バンド５０の具体的材料は任意であり、伸縮性の織物等であっても構わない。
【００３６】
ベース部材１０とバンド５０の自由端５０ｐ側間の着脱性を確保する具体的方法は任意であるが、雄部材と雌部材の組を活用することが望ましい。雄部材と雌部材の組み合わせは、雄型面ファスナーと雌型面ファスナーの組も考えられるが、シンプルかつ小面積構成でより強固な係合を確保するという観点からすれば、雄型スナップボタンと雌型スナップボタンの組を採用することが望ましい。
【００３７】
本例においては、ベース部材１０側に雌型スナップボタン３０を設け、バンド５０側に雄型スナップボタン７０を設けている。バンド５０側に雄型スナップボタン７０を設けている理由は、後述の説明からも明らかなように、ベース部材１０からのバンド５０の抜けをより十分に防止するためでもある。なお、雌型スナップボタン３０、及び雄型スナップボタン７０が金属製若しくは樹脂製であるが、好ましくは金属製であり、これにより着脱の繰り返しに対する十分な耐性を確保することができる。
【００３８】
図１乃至図４に示すように、ベース部材１０は、ベース部材１０の厚みを規定する前面１０ａと背面１０ｂを有し、これら一組の主面の各外周が連続曲面の側面１０ｃにより周方向に亘り連続的に接続される。ベース部材１０の前面１０ａと側面１０ｃの間の縁が丸み付けられ、ヒトとの接触等に配慮した滑らかな面が確保される。前面１０ａ及び背面１０ｂは、各々、実質的に平坦面であるが、必ずしもこの限りではなく、曲面、凸凹面等としても構わない。
【００３９】
図２等に示すベース部材１０の正面視形状は楕円形の上端と下端を平坦とした形状である。図３（ａ）及び図４（ａ）に示すベース部材１０の幅Ｗ１０は、ベース部材１０の上端１０ｐと下端１０ｑの間の上下中央において最大であり、上端１０ｐ側及び下端１０ｑ側に向かって狭くなる。
【００４０】
ベース部材１０の前面１０ａの幅方向中央には正面視矩形状の底浅の収容溝１１が設けられ、この収容溝１１にバンド５０が収容され、その底面上に載置される。収容溝１１は、ベース部材１０の上端１０ｐ側において解放しているが、必ずしもこの限りではない。収容溝１１の深さは、バンド５０の厚みに同等に設定されているが、必ずしもこの限りではない。本例においては、収容溝１１にバンド５０が収容された状態でベース部材１０の前面１０ａからバンド５０が突出しないように設定され、つまり、収容溝１１の深さがバンド５０の厚みよりも深く設定され、保持具１００の薄型化が促進される。収容溝１１は、ベース部材１０の長手方向に一定幅Ｗ１１を保ちながら延在するが、ベース部材１０の長手方向に沿って幅変動しても構わない。
【００４１】
図３（ｂ）及び図４（ｂ）に示すように、収容溝１１の底面１１ａには凹状の収容部１２が設けられ、この収容部１２に雌型スナップボタン３０が収容される。収容部１２は、図４（ａ）に示すように収容溝１１の底面１１ａにおいて正面視円形状に開口するが、必ずしもこの限りではなく、他の開口形状としても良い。収容部１２の深さが雌型スナップボタン３０の厚みよりも深く、これにより、収容部１２において雌型スナップボタン３０を十分に収容することができ、また雌型スナップボタン３０に雄型スナップボタン７０がスナップインした状態における厚み増を抑制することができる。
【００４２】
収容溝１１の底面１１ａにはベース部材１０をその厚み方向に貫通する挿通穴ＯＰ１０が設けられ、この挿通穴ＯＰ１０にはバンド５０が挿通される。挿通穴ＯＰ１０は、バンド５０の断面視形状に応じた開口形状の第１開口部ＯＰ１１と、第１開口部ＯＰ１１よりも開口幅が狭い第２開口部ＯＰ１２が連通した空間であり、第１開口部ＯＰ１１がベース部材１０の下端１０ｑ側にあり、第２開口部ＯＰ１２がベース部材１０の上端１０ｐ側にある。図４（ａ）に示すように、第１開口部ＯＰ１１の開口幅Ｗ１は、バンド５０の幅Ｗ５０よりも僅かに広い。第２開口部ＯＰ１２の開口幅Ｗ２は、バンド５０に設けられる雄型スナップボタン７０の直径よりも広い。なお、開口幅Ｗ１と開口幅Ｗ２については、Ｗ１＞Ｗ２を満足する。
【００４３】
ベース部材１０の長手方向に間隔をあけて配された一組の対向面１０ｄ、１０ｅの面間隔はバンド５０の厚みよりも僅かに広い。ベース部材１０の長手方向に間隔をあけて配された一組の側面１０ｅ、１０ｆの面間隔は、上述の一組の対向面１０ｄ、１０ｅ間の配置間隔よりも十分に大きい。なお、一組の対向面１０ｄ、１０ｅにより、ベース部材１０の長手方向の第１開口部ＯＰ１１の開口幅が規定される。一組の側面１０ｅ、１０ｆにより、ベース部材１０の長手方向の第２開口部ＯＰ１２の開口幅が規定される。改めて説明するまでもなく、各面１０ｄ、１０ｅ、１０ｆは、挿通穴ＯＰ１０を規定する側面である。
【００４４】
第２開口部ＯＰ１２に対応づけて爪部１３が設けられる。爪部１３を抜止部とも呼ぶ。爪部１３は、第２開口部ＯＰ１２内に設けられ、第２開口部ＯＰ１２内で斜め上方に延びる。端的には、爪部１３は、ベース部材１０の背面１０ｂ側から前面１０ａ側に向かって、かつ第２開口部ＯＰ１２側から第１開口部ＯＰ１１側に向かって延びる。爪部１３は、側面１０ｆに基端が連結し斜め上方へ延びる弧状延在部１３ａと、弧状延在部１３ａの先端にある円柱状の先端部１３ｂを有する。ベース部材１０の長手方向の挿通穴ＯＰ１０の開口幅が爪部１３により制限され、これにより、ベース部材１０からのバンド５０の抜け落ちを抑制することかできる。なお、爪部１３の幅Ｗ３は、雄型スナップボタン７０の直径よりも僅かに狭いが、必ずしもこの限りではない。
【００４５】
図１乃至図３、及び図５に示すように、正面視矩形状のバンド５０は、バンド５０の厚みを規定する前面５０ａと背面５０ｂを有し、これら一組の主面の各外周が側面５０ｃにより周方向に亘り連続的に接続される。前面５０ａ及び背面５０ｂは、各々、実質的に平坦面であるが、必ずしもこの限りではなく、曲面、凸凹面等としても構わない。図５に示すように、バンド５０の幅Ｗ５０は、バンド５０の自由端５０ｐと基端５０ｑの間に亘り一定幅Ｗ５０である。バンド５０の長さＬ５０は、図４に示す収容溝１１の長さＬ１１よりも長く、これにより、ベース部材１０に対してバンド５０を固定するための余剰長が確保される。
【００４６】
ベース部材１０への取付前、図５に示すようにバンド５０が平坦である。バンド５０の自由端５０ｐ側には雄型スナップボタン７０が設けられ、バンド５０の基端５０ｑ側には肉厚が増大した係止部５３が設けられる。なお、雄型スナップボタン７０も上述の爪部１３に対して係止する係止部であると把握でき、この観点からすれば、雄型スナップボタン７０がバンド５０の自由端５０ｐ側の第１係止部であり、係止部５３がバンド５０の基端５０ｑ側の第２係止部である。雄型スナップボタン７０がベース部材１０の主面等に衝突させる等により、ベース部材１０からのバンド５０の抜けを防止しても構わず、この場合には爪部１３を省略しても良い。
【００４７】
ベース部材１０にバンド５０を取付けた状態においては、図１（ａ）及び図１（ｂ）の対比から分かるようにバンド５０がＬ字状に屈曲した態様にある。ベース部材１０への取付後、バンド５０が、ベース部材１０の収容溝１１の底面１１ａ上に載置及び積層される押え部５１、押え部５１に連結して挿通穴ＯＰ１０に挿通される固定部５２を有するものと理解できる。なお、固定部５２が押え部５１の端部５１ｑに９０°下方に屈曲する態様で連結しているが、必ずしもこの限りではない。ベース部材１０の前面１０ａ上でバンド５０を直立させれば、固定部５２と押え部５１が為す角度は、例えば、１８０°になる。
【００４８】
押え部５１は、ベース部材１０とバンド５０の間に配される保持対象物、例えば、袋や鞄等の持ち手等をベース部材１０側に押す部分であり、固定部５２は、ベース部材１０との関係においてバンド５０の基端５０ｑ側を固定するための部分である。固定部５２には、押え部５１よりも肉厚の係止部５３が設けられ、当該係止部５３が挿通穴ＯＰ１０を通過不能である。保持具１００の使用時、バンド５０の自由端５０ｐを把持してベース部材１０の前面１０ａからバンド５０を立ち起こすことが想定されるが、バンド５０の基端５０ｑ側の係止部５３が挿通穴ＯＰ１０を通過することができないため、ベース部材１０からのバンド５０の抜けが抑止される。係止部５３の具体的な構成は任意であり、一定厚のベルトの端部を折り返して縫着等により固定して係止に十分な厚みを確保しても構わない。
【００４９】
ベース部材１０に対するバンド５０の取付け方法は任意であるが、例えば、ベース部材１０の背面１０ｂ側からバンド５０の自由端５０ｐを挿通穴ＯＰ１０に挿し込んでベース部材１０の前面１０ａ側へ挿通穴ＯＰ１０を通過させ、ベース部材１０の前面１０ａ側に到達して露顕したバンド５０の自由端５０ｐを同方向へ更に引くことにより達成可能である。
【００５０】
上述の押え部５１は、第１開口部ＯＰ１１を通過可能である。上述の固定部５２は、肉厚の係止部５３により第１開口部ＯＰ１１を通過不能である。ベース部材１０の背面１０ｂ側から前面１０ａ側へバンド５０の自由端５０ｐ側にある雄型スナップボタン７０が挿通穴ＯＰ１０を通過する時、雄型スナップボタン７０、特にそのポスト７２が上述の爪部１３を押し込むように作用し、爪部１３の先端部１３ｂと上述の対向面１０ｄ間の間隔が拡大し、その間を容易に通過可能である。
【００５１】
他方、仮に、ベース部材１０の前面１０ａ側から背面１０ｂ側へバンド５０が引っ張られるとしても、雄型スナップボタン７０、特にそのポスト７２が爪部１３に衝突して爪部１３を押し下げると爪部１３の先端部１３ｂと上述の対向面１０ｄの間隔が狭くなり、その間を容易には通過できない。このような構成により、ベース部材１０とバンド５０の組立後におけるベース部材１０からのバンド５０の抜け落ちを十分に抑制することかできる。
【００５２】
一般的には雄型スナップボタン７０は雌型スナップボタン３０よりもポスト７２を有する分だけ厚みがある。従って、雌型スナップボタン３０ではなく雄型スナップボタン７０をバンド５０に設けることにより、挿通穴ＯＰ１０の開口内側へ斜め上方へ弧状に延在する爪部１３に対する接触をより十分にすることができる。
【００５３】
上述のようにバンド５０とベース部材１０の着脱性は本例の如くスナップボタンを活用することが望ましいが、必ずしもこの限りではなく、面ファスナー、フック同士の噛み合い、磁石を活用した磁気的吸引、磁石と磁性体を活用した磁気的吸引等を活用しても構わない。所定の厚みのある雄又は雌部材をバンド５０の自由端５０ｐ側に設け、これを抜け防止用にも用いることに高い有利性があることは明らかである。
【００５４】
雌型スナップボタン３０及び雄型スナップボタン７０は、市場において容易に入手可能な汎用のスナップボタンである。雌型スナップボタン３０の環状本体部３１の中心には、雄型スナップボタン７０のポスト７２を受け入れて係合する受け入れ係合部３２が設けられる。雄型スナップボタン７０は、バンド５０の背面５０ｂに設けられた環状平板部７１、環状平板部７１の中心から立ち上がった中空又は中実のポスト７２、及びバンド５０の前面５０ａに設けられ、バンド５０に対して環状平板部７１を固定する止部７３を含む。スナップボタンの具体的な構成やバリエーションについては当業者に限らずに広く知られているため詳細説明は省略する。
【００５５】
図１及び図６を参照して保持具１００の使用方法について例示的に説明する。説明の便宜上、雌型スナップボタン３０に雄型スナップボタン７０をスナップインして両者を合体した状態を「ロック状態」と呼び、雌型スナップボタン３０から雄型スナップボタン７０をスナップアウトして両者を分離した状態を「非ロック状態」と呼ぶ。
【００５６】
図１（ｂ）に示す初期のロック状態のとき、バンド５０がベース部材１０の収容溝１１内に収容されており、収容溝１１の底面１１ａ上に伏した状態、換言すれば底面１１ａ上に沿って寝た状態にあり、これをバンド５０の初期姿勢と呼ぶ。収容溝１１の深さがバンド５０の厚みよりも大きいため、ベース部材１０の前面１０ａからバンド５０が突出せず、保持具１００の前面の外観の滑らかさを確保することができる。保持具１００の不使用時には保持具１００があまり目立たない存在であることが望まれる場合があり、このような要望に対しても十分に対処できる。ベース部材１０の収容溝１１は、保持具１００の薄型化のみならず、保持具１００の外観ニーズに対しても貢献する。
【００５７】
ロック状態から非ロック状態にするに際しては、バンド５０の雄型スナップボタン７０をベース部材１０の雌型スナップボタン３０からスナップアウトするだけであり、これにより、ベース部材１０の前面１０ａ、端的には収容溝１１の底面１１ａに伏したバンド５０の押え部５１が底面１１ａから離間する。把持者によりバンド５０の自由端５０ｐが把持されていれば、把持者による操作に応じて、バンド５０がベース部材１０の前面１０ａに対して任意の角度で起立可能である。把持者により把持されていなくてもバンド５０の自重によってバンド５０がベース部材１０の前面１０ａに対して鉛直方向に対応した所定の角度で起立可能である。
【００５８】
非ロック状態の図示は省略されているが、例えば、図１の紙面を正面視したときの上下方向が鉛直方向に一致するとすれば、非ロック状態においてはベース部材１０の挿通穴ＯＰ１０のある位置からバンド５０が鉛直方向下方へ垂れ下がった状態となり、バンド５０の自由端５０ｐが最も鉛直方向下方に位置する。以下の説明においては、図面を正面視した時の上下方向が鉛直方向に一致することが前提となっている場合がある。
【００５９】
ロック状態から非ロック状態とした後、ベース部材１０とバンド５０の間に任意の保持対象物、例えば、袋や鞄等の持ち手等を配置する。例えば、袋や鞄等にある開口にバンド５０を自由端５０ｐ側から通し、バンド５０の押え部５１とベース部材１０の前面１０ａの間に袋や鞄等の持ち手等を配する。
【００６０】
バンド５０とベース部材１０の間に保持対象物が配された状態で非ロック状態からロック状態とし、バンド５０とベース部材１０の間で保持対象物を挟み込む。端的には、図６（ａ）の矢印で模式的に示すように、ベース部材１０の雌型スナップボタン３０にバンド５０の雄型スナップボタン７０をスナップインして合体させる。上述のようにバンド５０が袋や鞄等の持ち手３１０に通されているため、図６（ａ）及び図６（ｂ）に模式的に示す状態になる。バンド５０自体の伸縮性のおかげでバンド５０の押え部５１の長さ、換言すれば、ベース部材１０の前面１０ａ上でのバンド５０の長さが伸張し、バンド５０の押え部５１により持ち手３１０がベース部材１０側へ押え込まれる。図６（ａ）及び図６（ｂ）に示す状態においては、仮に振動や外力の影響により持ち手３１０が紙面上側へ変位しても、依然としてバンド５０とベース部材１０の間に閉じ込められた状態が維持され、Ｊ字フックタイプの保持装置と比較したときの外れ難さを確保できる余地がある。
【００６１】
上述の説明から明らかなように、本実施形態においては、バンド５０の自由端５０ｐ側をベース部材１０に固定するに際しては、通常は位置固定されたベース部材１０との関係においてバンド５０の自由端５０ｐ側を操作すれば良いだけである。また、バンド５０の押え部５１の長さ、換言すればベース部材１０の前面１０ａ上のバンド５０の長さが可変であり、ベース部材１０とバンド５０間における保持対象物の保持を好適に確保することができる。更に、初期状態のロック状態、つまり図１（ｂ）に示す場合、ベース部材１０上にバンド５０を伏した状態を確保することができ、保持具１００の薄型化、場合によっては看者の視覚に訴える存在感の薄さを確保することができる。更に、本実施形態に係る保持具１００は、２部品構成であり、薄型構成かつ簡素構成を促進可能なものと言える。
【００６２】
＜第２実施形態＞
図７乃至図１０を参照して第２実施形態について説明する。図７は、使用状態の保持具の概略的な斜視図である。図８は、保持具を背面側から見た概略的な斜視図であり、保持具の固定態様を模式的に示す。図９は、保持具を背面側から見た概略的な斜視図であり、保持具の他の固定態様を模式的に示す。図１０は、保持具が自動車等の座席の背面に設けられることを示す模式図である。
【００６３】
本実施形態に例示するようにベース部材１０を所定の固定方法により固定先に固定しても良い。本実施形態においても第１実施形態と同様の効果を得ることができる。
【００６４】
図７に示すように収容溝１１の底面１１ａからベース部材１０の背面１０ｂを貫通する貫通穴ＯＰ２０を設け、図８に示すようにボルト３０１とナット３０２を用いて平板３００に対して固定しても良い。貫通穴ＯＰ２０の個数や設ける位置は任意である。図７に示すように、ベース部材１０の長手幅の中央に貫通穴ＯＰ２０を設けても良い。
【００６５】
図９に示すようにベース部材１０の背面１０ｂにＬ字状の掛け部４００を設け、掛け部４００を平板３００に引っ掛けても良い。掛け部４００は、ベース部材１０の背面１０ｂから立ち上がる起立部４０１と起立部４０１の上端からベース部材１０の背面１０ｂに沿って水平に延在する押え部４０２を有する。ベース部材１０の背面１０ｂと押え部４０２の間に平板３００が圧入等され、これにより、平板３００に対する保持具１００の固定が達成される。
【００６６】
図８及び図９に示した平板３００は、例えば、自動車や電車の座席の骨格を構成する骨材等であり、最終形態においては、図１０に示すように、座席の後面に保持具１００が設けられる。
【００６７】
＜第３実施形態＞
図１１及び図１２を参照して第３実施形態について説明する。図１１は、保持具の概略的な斜視図である。図１２は、保持具の概略的な長手断面模式図である。本実施形態においては、バンド５０の押え部５１の長さの可変性、換言すれば、ベース部材１０の前面１０ａ上におけるバンド５０の長さの可変性を確保するために、ベース部材１０からバンド５０を繰り出し可能とする。本実施形態によれば、上述の実施形態と同様の効果を得ることができ、また第１実施形態と比較してベース部材１０の前面１０ａ上のバンド５０の長さをより長く確保することができ、保持具１００により保持可能な保持対象物の範囲を拡大することもできる。
【００６８】
本実施形態においては、ベース部材１０から繰り出したバンド５０から手を離すと、バンド５０がベース部材１０内に自動的に引き戻される構成とし、これにより、保持具１００の高い利便性が確保される。本実施形態においては、可撓性や伸縮性を具備しないバンド５０も好適かつ有利に活用することができ、バンド５０の材質の選択次第ではバンド５０の高い耐久性を確保することができる。
【００６９】
図１１及び図１２に示す初期のロック状態においては、バンド５０の自由端５０ｐがベース部材１０の前面１０ａ側に配され、バンド５０の基端５０ｑがベース部材１０の背面１０ｂ側に配される。雄型スナップボタン７０を雌型スナップボタン３０からスナップアウトしてバンド５０の自由端５０ｐを把持者側に引き寄せる等してベース部材１０の前面１０ａから離間させると、ベース部材１０内に収容されていたバンド５０が繰り出され、ベース部材１０の前面１０ａ上のバンド５０の長さが長くなる。このようにバンド５０の長さの可変性を確保することにより、様々な保持対象物を保持することが可能になる。
【００７０】
バンド５０の自由端５０ｐから把持者が手を離すと、ベース部材１０の前面１０ａ上に繰り出されたバンド５０がベース部材１０内に自動的に引き戻される。バンド５０の雄型スナップボタン７０が爪部１３に衝突すると、バンド５０の更なる引き戻しが停止し、ベース部材１０の挿通穴ＯＰ１０上にバンド５０の自由端５０ｐが配される。
【００７１】
図１２に示すように、ベース部材１０の背面１０ｂには収容空間が挿通穴ＯＰ１０に連通したバンド収容部１５が設けられ、バンド収容部１５内には、バンド５０の基端５０ｑ側の部分に加えて、バンド５０の基端部に接続したスプリング部品８０が収容される。バンド収容部１５を帯体収容部とも呼ぶ。スプリング部品８０は、バンド５０を付勢する付勢手段若しくは付勢機構の一例であり、本例においてはコンストンスプリングである。スプリング部品８０は、バンド収容部１５から繰り出されたバンド５０をバンド収容部１５内へ引き戻すべくバンド５０を付勢する。
【００７２】
図示のように、スプリング部品８０は、板バネ８１と板バネ８１が巻かれた軸心部材８２を有する。軸心部材８２により板バネ８１の一端の固定端８１ｑが位置規制されており、板バネ８１の他端の取付端８１ｐにはバンド５０の基端５０ｑが固定される。バンド５０の固定部５２は、図１２に模式的に示すように、スプリング部品８０を周囲するように配されるが、必ずしもこの限りではない。板バネ８１の巻数は任意であり、図示の巻数は単なる一例である。
【００７３】
バンド５０の自由端５０ｐ側を把持してベース部材１０のバンド収容部１５からバンド５０を繰り出すと、バンド５０の基端５０ｑに連結した板バネ８１の取付端８１ｐが図１２を正面視して時計回りに引かれる。この過程において仮にバンド５０から手を離すと、スプリング部品８０の弾性作用により板バネ８１の取付端８１ｐが図１２を正面視して反時計周りに移動して元の位置へ戻り、図１２に示す状態となる。
【００７４】
保持具１００の使用方法は第１実施形態と同様であり冗長な説明は省略する。なお、本実施形態においても、把持者による把持やスプリング部品９０による付勢力等の外力に応じてバンド５０がベース部材１０上に伏した初期姿勢から脱することが可能であり、非限定的かつ典型的には、把持者によりバンド５０の自由端５０ｐ側が把持されてロック解除された後、ベース部材１０上からバンド５０を立ち起こし可能であり、ベース部材１０の下端１０ｑ側の部分を中心としてバンド５０を枢動可能である。
【００７５】
＜第４実施形態＞
図１３を参照して第４実施形態について説明する。図１３は、保持具の概略的な長手断面模式図である。本実施形態においては、バンド５０の基端５０ｑをベース部材１０に埋め込み、ベース部材１０にバンド５０の基端５０ｑ側を固定する。本実施形態においても、把持者による把持又は重力等の外力に応じてバンド５０がベース部材１０上に伏した初期姿勢から脱することが可能であり、非限定的かつ典型的には、把持者によりバンド５０の自由端５０ｐ側が把持され、ベース部材１０上からバンド５０を立ち起こし可能であり、ベース部材１０の下端１０ｑ側の部分を中心としてバンド５０を枢動可能であり、上述の実施形態と同様の効果を得ることができる。
【００７６】
図１３に示すように、バンド５０の基端５０ｑ側には貫通穴ＯＰ５０が設けられ、この貫通穴ＯＰ５０内にベース部材１０の構成樹脂が入り込み、これにより、ベース部材１０からのバンド５０の抜けが抑止される。ベース部材１０の成型金型にバンド５０を配した状態で溶融樹脂を金型キャビティーに充填するインサート成形の活用によりベース部材１０とバンド５０の一体性を確保することができる。
【００７７】
＜第５実施形態＞
図１４乃至図１８を参照して第５実施形態について説明する。図１４は、保持具のベース部材の概略的な前面図である。図１５は、保持具を前面側から見た概略的な斜視図であり、帯体が初期姿勢にある。図１６は、保持具の概略的な側面図である。図１７は、保持具の概略的な前面図であり、帯体が初期姿勢にある。図１８は、保持具の概略的な断面模式図であり、図１７のＸ１８−Ｘ１８に沿う保持具の長手方向の断面模式図を示す。
【００７８】
本実施形態においては、ベース部材１０に凹状の保持空間ＳＰ１０が設けられ、この保持空間ＳＰ１０が初期姿勢のバンド５０により上方から閉じられる。例えば、ベース部材１０の凹状の保持空間ＳＰ１０により袋や鞄等の持ち手がベース部材１０に収容され、バンド５０により閉じられる。このような態様によれば、袋や鞄等の保持対象物の自重等に応じた力がバンド５０に対して付与されるのではなく、ベース部材１０に対して付与されることを確保可能であり、ある程度の重さがある保持対象物も適切に保持可能になる。
【００７９】
更に、本実施形態においては、保持空間ＳＰ１０を規定するベース部材１０の側面１０ｊ１には突起１０ｉが設けられる。この突起１０ｉに対して袋や鞄等の持ち手を引っ掛けることにより、簡便に袋や鞄等の持ち手を保持具１００に対して位置付けることが可能になる。保持具１００からの持ち手の離脱に対して突起１０ｉが構造的な障害壁として機能し、保持具１００による保持対象物のより十分な保持が確保される。
【００８０】
突起１０ｉが保持空間ＳＰ１０内に配され、同空間から延出しないため、突起１０ｉの突出性が問題にはならないだろう。バンド５０が初期姿勢にあるとき、図１７に示すようにバンド５０により突起１０ｉが被覆される。バンド５０が初期姿勢から脱したとき、バンド５０により突起１０ｉが被覆されても良い。この態様によれば、突起１０ｉがヒトの視覚に突起として訴える強さを弱く確保可能である。
【００８１】
本実施形態においても上述の実施形態と同様の効果を得ることができ、更に、本実施形態を上述の実施形態に対して任意の組み合わせることが可能である。具体的には、本実施形態を図１１等に示した第３実施形態と組み合わせても良い。
【００８２】
図１４乃至図１８に示すように、ベース部材１０には上端１０ｐ側の上部１０ｒ１、下端１０ｑ側の下部１０ｒ２、及び上部１０ｒ１と下部１０ｒ２の間の胴部１０ｒ３を有し、胴部１０ｒ３が上部１０ｒ１と下部１０ｒ２に対して凹状に窪み、これによりベース部材１０の前面１０ａには凹状の保持空間ＳＰ１０が設けられる。保持空間ＳＰ１０を画定するベース部材１０の下端１０ｑ側の側面１０ｊ１には突起１０ｉが設けられ、初期姿勢のバンド５０の延在方向に一致するベース部材１０の下端１０ｑ側から上端１０ｐ側に向かう方向に延在する。突起１０ｉの高さＨ１０ｉは、保持空間ＳＰ１０の長手長さＬ＿ＳＰ１０の半分以下である。突起１０ｉの延在方向は任意であり、本例に限られず、また、１以上の箇所にて屈曲していても構わない。突起１０ｉの頂端１０ｉ５が保持空間ＳＰ１０の底側を臨むべく突起１０ｉを屈曲させても良い。
【００８３】
保持空間ＳＰ１０を画定する上端１０ｐ側の側面１０ｊ２が、側面１０ｊ１に対向して配置され、側面１０ｊ１と側面１０ｊ２の間を下面１０ｊ３が接続する。下面１０ｊ３の幅方向中央には更に凹状に窪んだ凹部１０ｖが設けられる。凹部１０ｖの幅は、バンド５０の幅と略等しい。凹部１０ｖに対応してベース部材１０の背面１０ｃ側には凸状に突出した箱部１０ｋが設けられる。
【００８４】
バンド５０がベース部材１０上に伏した初期姿勢にあるとき、バンド５０が伸張された状態にあり、次の姿勢をとる。つまり、バンド５０が、ベース部材１０の下部１０ｒ２の挿通穴ＯＰ１０からベース部材１０の背面１０ｃ側から前面１０ａ側に延出し、突起１０ｉの前側面上に寝て、凹部１０ｖの底面１０ｊ４上に空間を隔てて延在し、ベース部材１０の上部１０ｒ１上に寝て上述の実施形態で説明したスナップボタンを介して固着する。
【００８５】
バンド５０がベース部材１０上に伏した初期姿勢から脱したとき、バンド５０が伸張されていない初期の長さに復帰しており、次の姿勢をとる。つまり、バンド５０が、ベース部材１０の下部１０ｒ２の挿通穴ＯＰ１０からベース部材１０の背面１０ｃ側から前面１０ａ側に延出し、突起１０ｉの前側面上に寝る。バンド５０の初期の長さに応じて、バンド５０の自由端５０ｐ側が、凹部１０ｖの底面１０ｊ４上に空間を隔てて位置付けられる。
【００８６】
バンド５０の基端５０ｑ側の係止部５３の肉厚は、ベース部材１０の前面１０ａ上に配されるバンド５０の肉厚の２倍以上あり、本例においては３倍以上あり、ベース部材１０に対するバンド５０のより十分な位置固定が確保される。
【００８７】
本願には、次の保持具の使用方法も開示されている。基部（１０）、及び前記基部（１０）に対して基端側が直接的又は間接的に位置固定された状態で前記基部（１０）に対して自由端側が着脱可能である帯体（５０）を備える保持具（１００）の使用方法であって、前記基部（１０）上において伏した初期姿勢にある前記帯体（５０）が前記自由端側にて前記基部（１０）に対して固定されたロック状態を解除するステップと、前記基部（１０）と前記帯体（５０）の間に保持対象物を少なくとも部分的に配するステップと、前記基部（１０）に対して前記帯体（５０）を前記自由端側にて固定し、前記帯体（５０）と前記基部（１０）間で前記保持対象物を少なくとも部分的に挟み込むステップと、を含む。
【００８８】
上述の教示を踏まえると、当業者をすれば、各実施形態に対して様々な変更を加えることができる。第１実施形態と第４実施形態の対比から明らかなように、帯体５０の基端５０ｑをベース部材１０に対して固定する必要はない。ベース部材１０に対して基端５０ｑ側が位置固定された状態でベース部材１０に対して帯体５０の自由端５０ｐ側が着脱可能であることは、必ずしも帯体５０の基端５０ｑがベース部材１０に固定されていることを意味しない。第１及び第３実施形態は、ベース部材１０に対して基端５０ｑ側が「間接的に」位置固定された状態でベース部材１０に対して帯体５０の自由端５０ｐ側が着脱可能な一例である。第１実施形態では、バンド５０の係止部５３により、ベース部材１０に対するバンド５０の基端側の間接的な位置固定が確保される。第３実施形態では、バンド５０の基端側がベース部材１０に固定されたスプリング部品８０に結合することにより、ベース部材１０に対するバンド５０の基端側の間接的な位置固定が確保される。幅Ｗ１０、幅Ｗ１１、幅Ｗ１、幅Ｗ２、幅Ｗ３、幅Ｗ５０、長さＬ１１の具体的な値は任意であり、用途に応じて適当に決定される。請求の範囲に盛り込まれた符号は、参考のためであり、請求の範囲を限定解釈する目的で参照されるべきものではない。
【符号の説明】
【００８９】
１００…保持具
１０…ベース部材
１０ｐ…上端
１０ｑ…下端
ＯＰ１０…挿通穴
ＳＰ１０…保持空間
１１…収容溝
１１ａ…底面
１２…収容部
１３…爪部
１３ａ…弧状延在部
１３ｂ…先端部
１５…バンド収容部
３０…雌型スナップボタン
５０…バンド
５０ｐ…自由端
５０ｑ…基端
５１…押え部
５２…固定部
５３…係止部
７０…雄型スナップボタン
８０…スプリング部品
８１…板バネ
８１ｐ…取付端
８１ｑ…固定端
８２…軸心部材
【図１】
0003181938.tif 000003
【図２】
0003181938.tif 000004
【図３】
0003181938.tif 000005
【図４】
0003181938.tif 000006
【図５】
0003181938.tif 000007
【図６】
0003181938.tif 000008
【図７】
0003181938.tif 000009
【図８】
0003181938.tif 000010
【図９】
0003181938.tif 000011
【図１０】
0003181938.tif 000012
【図１１】
0003181938.tif 000013
【図１２】
0003181938.tif 000014
【図１３】
0003181938.tif 000015
【図１４】
0003181938.tif 000016
【図１５】
0003181938.tif 000017
【図１６】
0003181938.tif 000018
【図１７】
0003181938.tif 000019
【図１８】
0003181938.tif 000020